(57)【要約】  本発明は、複数の電流路（１、２）を備え、これらの電流路（１、２）は、共通のコア（３）に巻かれている並列接続された複数のコイル（１ａ、１ｂ、２ａ、２ｂ）から構成される電流補償チョークに関する。これらのコイル（１ａ、１ｂ、２ａ、２ｂ）は、好ましくは、共通の電流路（１、２）のコイル（１ａ、１ｂ、２ａ、２ｂ）が直接重なり合って配置されないように、交互にコア（３）に巻かれている。【選択図】図１
2010534947.tif 000002
【特許請求の範囲】
【請求項１】
複数の電流路（１、２）を含み、前記電流路（１）のそれぞれが、共通のコア（３）に巻かれている複数の並列接続されたコイル（１ａ、１ｂ、２ａ、２ｂ）を有し、前記コイル（１ａ、１ｂ、２ａ、２ｂ）のそれぞれが、前記コア（３）を取り巻く個別の層を形成し、該個別の層が重なり合っている、ことを特徴とする電流補償チョーク。
【請求項２】
逆向きの電流方向をもつ前記電流路（１、２）が設けられている、ことを特徴とする請求項１に記載の電流補償チョーク。
【請求項３】
異なる前記電流路（１、２）に属する前記コイル（１ａ、１ｂ、２ａ、２ｂ）が、交互に重なり合って配置されている、ことを特徴とする請求項１又は２に記載の電流補償チョーク。
【請求項４】
前記コア（３）が強磁性材料を含む、ことを特徴とする請求項１乃至３のいずれか一項に記載の電流補償チョーク。
【請求項５】
前記コア（３）が棒状である、ことを特徴とする請求項１乃至４のいずれか一項に記載の電流補償チョーク。
【請求項６】
前記電流路（１、２）によって発生する磁界の少なくとも大部分が相殺されるように、前記コイル（１ａ、１ｂ、２ａ、２ｂ）が配置されている、ことを特徴とする請求項１乃至５のいずれか一項に記載の電流補償チョーク。
【請求項７】
前記コイル（１ａ、１ｂ、２ａ、２ｂ）の大部分が、キャップ（４）によって取り囲まれている、ことを特徴とする請求項１乃至６のいずれか一項に記載の電流補償チョーク。
【請求項８】
前記電流路（１、２）で取り囲まれた前記コア（３）が、カバープレートを備える、ことを特徴とする請求項１乃至７のいずれか一項に記載の電流補償チョーク。
【請求項９】
前記チョークが、複数の外部コンタクト（６ａ、６ｂ、６ｃ、６ｄ）を有し、前記電流路（１、２）がそれぞれ２つの前記外部コンタクト（６ａ、６ｂ、６ｃ、６ｄ）と接続されている、ことを特徴とする請求項１乃至８のいずれか一項に記載の電流補償チョーク。
【請求項１０】
前記電流路（１、２）が、少なくともほぼ同じ抵抗を有している、ことを特徴とする請求項１乃至９のいずれか一項に記載の電流補償チョーク。
【請求項１１】
前記チョークが、最小の漏れインダクタンスを有している、ことを特徴とする請求項１乃至１０のいずれか一項に記載の電流補償チョーク。
【請求項１２】
請求項１乃至１１のいずれか一項に記載の電流補償チョークを備える回路装置であって、
該電流補償チョークの第１の電流路（１、２）の端部が、データケーブルの第１の導体と直列に接続され、
前記電流補償チョークの第２の電流路（１、２）の端部が、データケーブルの第２の導体と直列に接続され、
前記データケーブルの両方の前記導体が、干渉源にさらされている、ことを特徴とする回路装置。
【請求項１３】
請求項１２に記載の回路装置を有する、ＣＡＮバスシステム。
【請求項１４】
請求項１２に記載の回路装置を有する、フレックスレイバスシステム。
【発明の詳細な説明】
【背景技術】
【０００１】
共通のコアに配置された少なくとも２つのコイルを備えた電流補償チョークが説明され、これらのコイルに電流が流れることにより、コイルの磁界が相殺される。
【０００２】
特許文献１に電流補償チョークが開示されている。
【先行技術文献】
【特許文献】
【０００３】
【特許文献１】独国特許出願公開第２６００７６５号明細書
【発明の概要】
【発明が解決しようとする課題】
【０００４】
解決しなければならない課題は、できる限り完全に磁界が相殺され、抵抗が最小限になるようなチョークを提供することにある。
【課題を解決するための手段】
【０００５】
複数の電流路を有する電流補償チョークが提案され、その際、これらの各電流路は並列に接続されている複数のコイルを有している。これらのコイルは、共通のコアに巻かれている。逆向きの電流方向をもつ電流路が設けられていることが好ましい。電流路が同じ電流方向を有する場合も、このチョークの使用が可能である。電流路により発生する磁界が相殺されるように、コイルを選択するのが好ましい。
【０００６】
１つの共通の電流路に複数のコイルを並列接続することにより、抵抗を小さくすることができ、このことは、例えばデータバスシステムなどの特定の適用分野では不可欠である。
【０００７】
個々のコイルは、好ましくは、それぞれがコアを完全に取り巻く層を形成しており、その際、この層は、長手方向にできる限り完全にコアを覆っている。
【０００８】
１つの実施形態によれば、コイルの個々の層がコアの周りに配置されて、複数の層構造を形成する。
【０００９】
異なる電流路に属するコイルが、好ましくは、交互にコアの上に重なり合って配置される。
【００１０】
１つの共通の電流路に属するコイルが、直接重なり合ってコアの上に巻かれていないことが好ましい。例えば、第１の電流路の第１コイルの上に第２の電流路の第１コイルがあり、続いて、第１の電流路の第２コイルがあり、さらに第２の電流路の第２コイルが続く。この配置は、電流路に属しているコイルの磁界をほぼ完全に相殺するのに役立つ２本巻きのコイル構造にほぼ該当する。これによって、チョークの漏れインダクタンスの軽減と、チョークの品質向上とが両方とも達成される。
【００１１】
電流路が２つ以上ある場合、共通の電流路に属するコイルが、コアに直接重なり合って巻かれないようにコイルが配置される。
【００１２】
コアの形状は、棒状であるのが好ましい。このコアは、１つの実施形態においては、強磁性材料を含んでいる。
【００１３】
好ましくは、コアの上にあるコイルは、電流路により発生した磁界の少なくとも大部分が相殺されるように配置されている。逆方向に流れる電流路の場合、すべてのコイルは、同じ巻き方向を有することが好ましい。これによって、逆方向に流れる電流で発生する磁界は相殺される。同じ方向に流れる電流路の場合、それぞれの電流路に属するコイルは、異なる巻き方向を有している。電流路に属するコイルの配置は、好ましくは、電流路によって発生する磁界が相殺されるように配置されている。
【００１４】
１つの実施形態においては、コアの上にあるコイルの大部分がキャップによって取り囲まれている。このことにより、漏れインダクタンスがさらに低下する。
【００１５】
もう１つの実施形態においては、キャップの代わりに、コイルの上にのせるカバープレートを備えていてもよい。
【００１６】
キャップ又はプレートは、磁束線の磁気的な短絡の改善をもたらす。磁気的な短絡の改善により、漏れインダクタンスが減少する。さらに、短絡の改善により、インダクタンスが同じ場合にコイルの巻き数を減らすことができるため、追加的にオーム抵抗を減少させることができる。キャップ又はカバープレートを使用した場合に、小さなエアギャップが生じるが、これによって、構造はより最適なトロイダルコアチョークに近づく。
【００１７】
チョークが複数の外部コンタクトを有していることが好ましく、その場合、チョークの接続のための外部コンタクトが各電流路にそれぞれ２つ設けられており、電流路は外部コンタクトと導電するように接続されている。
【００１８】
電流路に属するコイルの特殊な配置により、個々のコイルの長さの比に基づいて、電流路の抵抗はほぼ同じになる。交互に配置されたコイルによって磁界が相殺され、それによって漏れインダクタンスが最小となる。
【００１９】
好ましくは、回路装置に、電流補償チョークを使用することができ、その場合、データバスのデータケーブルにこの電流補償チョークが取り付けられている。チョークの第１の電流路は、データケーブルの第１の導体に直列に接続され、チョークの第２の電流路は、データケーブルの第２の導体に直列に接続されている。この電流補償チョークの場合、チョークの第１の電流路の端部がデータケーブルの第１の導体に接続され、第２の電流路の端部がデータケーブルの第２の導体に接続されている。データケーブルの導電体は、電磁的な干渉源にさらされているため、データケーブルの導電体を流れる電流は、様々な方向に流れる場合、同じ電流強さを有さない。
【００２０】
この回路装置では、チョークがデータケーブル又はバスシステムと接続されているのが好ましい。データケーブルは、自動車における制御ネットワーク又は通信ネットワークの構成部品であり得る。このようなものにＣＡＮバスシステム又はフレックスレイバスシステムがあり、その中でこの回路装置が使用可能である。
【００２１】
さらにこのチョークは、漏れインダクタンス及び直流抵抗に関して狭い範囲に制限された他のデータ伝送用バスシステムにも適している。
【図面の簡単な説明】
【００２２】
【図１】電流補償チョークの第１の実施形態を示す図である。
【図２】キャップを取り付けた電流補償チョークの他の実施形態を示す図である。
【図３】電流補償チョークのコアに巻かれたコイルを示す図である。
【発明を実施するための形態】
【００２３】
説明されている対象を、以下の図及び実施例に基づいて詳しく説明する。
【００２４】
以下に示されている図は、縮尺どおりのものとして理解してはならない。むしろ、理解を容易にするため、個々の寸法を拡大、縮小又は歪曲して示し得る。
【００２５】
互いに同一である、又は同一の機能を担う構成要素には、同一符号が付されている。
【００２６】
図１は、複数のコイル１ａ、１ｂ、２ａ、２ｂが共通のコア３に巻かれている電流補償チョークを示す。コア３は、好ましくは棒状であり、強磁性材料を有している。
【００２７】
このチョークは、その両方の前面に複数の外部コンタクト６ａ、６ｂ、６ｃ、６ｄを有しており、これらの外部コンタクトにはそれぞれ、共通の電流路１、２に並列接続されているコイル１ａ、１ｂ、２ａ、２ｂが２つ、電気的に接続されている。
【００２８】
コイル１ａ、１ｂ、２ａ、２ｂは、好ましくはコア３に交互に巻かれており、そのため、直接重なり合っているコイル１ａ、１ｂ、２ａ、２ｂは、１つの同じ電流路１、２には属さない。
【００２９】
これによって、第１の電流路１の第１のコイル１ａで始まる順番になる。これに、第２の電流路２の第１コイル２ａが続き、次に第１の電流路１の第２のコイル１ｂが続き、最後に、第２の電流路２の第２のコイル２ｂが形成される。
【００３０】
１つの実施形態によると、コイル１ａ、１ｂ、２ａ、２ｂの個々の層は、互いに横にずれて配置されている。この場合、各層のそれぞれのコイル１ａ、１ｂ、２ａ、２ｂは、隣接する層の２つのコイル１ａ、１ｂ、２ａ、２ｂの間の中間スペースに位置し、この中間スペースを少なくとも部分的に埋めている。これによって、スペースを節約する構造が提供され、漏れインダクタンスを小さくすることができる。
【００３１】
電流路１、２が２つよりも多い場合には、好ましくは、共通の電流路１、２に割り当てられているコイル１ａ、１ｂ、２ａ、２ｂが直接重なり合わないように、コイル１ａ、１ｂ、２ａ、２ｂが配置される。
【００３２】
図２は、キャップ４を有するチョークの可能な実施形態を示しており、このキャップは、コイルが巻かれているコア３を少なくとも部分的に取り囲んでいる。図に示されていない代替案として、キャップ４の代わりにカバープレートを、コイルが巻かれているコアの上に設けることもできる。
【００３３】
図３は、コア３に巻かれたコイル１ａ、１ｂ、２ａ、２ｂの概略図である。この場合、コイル１ａ、１ｂ、２ａ、２ｂは、層として示されている。これによって、コイル１ａ、１ｂ、２ａ、２ｂの順序を示すことができる。
【００３４】
この図から、電流路１、２のコイル１ａ、１ｂ、２ａ、２ｂがどのように交互に入れ替わっているかが分かる。共通の電流路１、２に属するコイル１ａ、１ｂ、２ａ、２ｂは、直接重なり合ってない。
【００３５】
図に示されていない他の実施例において、数値例を用いて電流補償チョークの原理を詳しく説明する。２ｍｍのコイルチャンバと、必要とされる１００μＨの定格インダクタンスと、を備えたチョークが使用される場合、４０の巻き数のコイルが必要である。コイルチャンバのサイズとコイル数から、使用可能な最大の線径は５０μｍとなる。これによって、２Ω／電流路の抵抗が生じると考えられる。しかし、要求されている抵抗は１Ω／電流路のみである。２つの電流路の並列接続により、できる限り低い抵抗値を達成することが可能である。
【００３６】
前述の個々のコイルの配置により、例えば自動車におけるバスシステムに必要な仕様を満たす漏れインダクタンスを実現することができる。ここでは、漏れインダクタンスに関してのみ最適化が行われる。両方の電流路の間で、抵抗差をできる限り小さくすることについての最適化には、第１のコイルと第４のコイルとの組合せ、及び第２のコイルと第３のコイルとの組合せが最も適していると考えられるが、その場合、低い漏れインダクタンスの効果は失われてしまう。
【００３７】
原則的に、別の形状のコアを選択し、複数の電流路を使用し、又は例えば、抵抗値をより小さくするために、２つ以上のコイルを並列に接続することが可能である。
【符号の説明】
【００３８】
１、２  電流路
１ａ、１ｂ、２ａ、２ｂ  コイル
３  コア
４  キャップ
６ａ、６ｂ、６ｃ、６ｄ  外部コンタクト
【図１】
2010534947.tif 000003
【図２】
2010534947.tif 000004
【図３】
2010534947.tif 000005
【国際調査報告】
2010534947.tif 000006
2010534947.tif 000007
2010534947.tif 000008
2010534947.tif 000009